(57)【要約】【課題】  従来は日毎にスケジュールにて着信を着信音かバイブレータか表示かで報知する方法を管理するようにしたものであり、週単位、月単位などの設定は考慮されていない。また、従来は事細かにスケジュールを予め登録する必要があり、登録に手間を要する。【解決手段】  携帯電話機の制御回路は、切り替え開始時間、切り替え終了時間、切り替え曜日を設定する（Ｓ３〜Ｓ５）。続いて、鳴動モード（マナーモード、ドライブモード等）を設定する（Ｓ６）。着信時に設定した鳴動方法切り替え設定の登録がされている場合は、登録された鳴動方法で着信を報知する。鳴動方法（マナーモード、ドライブモード等）の切り替えを行う時間、曜日単位、更には祝日を設定するようにしたため、鳴動方法や着信報知方法の変更忘れを防ぐことができると共に、予め登録し設定しておくことで事細かなスケジュール登録を必要としないため日々の変更の煩わしさを解消できる。【選択図】            図２
2006217284.tif 000002
【特許請求の範囲】
【請求項１】
最寄りの基地局及び網を介して接続される相手端末からの着信を、着信音以外の方法で報知するマナーモードと、運転中の着信を前記相手端末に通知すると共に不在着信を自装置の画面に表示するドライブモードと、カレンダー機能とを少なくとも有する携帯通信端末において、
前記マナーモード及びドライブモード及び着信音鳴動モードのいずれか一のモードに切り替える設定と、その切り替えを実行する時間帯、曜日、祝日の有無を設定する設定手段と、
前記設定手段により設定された前記時間帯及び曜日になったか否かと、祝日を設定した時には設定した祝日になったか否かを前記カレンダー機能と連携して判定する判定手段と、
前記判定手段により設定された前記時間帯、曜日又は祝日になったと判定された時には、前記設定手段により設定されたモードに切り替える切り替え手段と
を有することを特徴とする携帯通信端末。
【請求項２】
前記設定手段は、前記マナーモードの設定時は前記着信を複数の報知種類のうちの一の種類を設定し、設定された前記時間帯、曜日又は祝日になったと前記判定手段により判定された時には、前記切り替え手段により前記設定された一の種類の着信に切り替え、前記切り替え手段により切り替えられた一の種類の着信方法で着信を報知する着信報知手段を有することを特徴とする請求項１記載の携帯通信端末。
【請求項３】
前記複数の報知種類は、バイブレータの振動、発光部の点滅又は点灯、表示部の画面上のアイコン表示で、かつ、前記バイブレータの振動、前記発光部の点滅又は点灯、前記表示部の画面上の前記アイコン表示の各々は予め設定した複数のパターンからなり、前記設定手段は、任意に設定した一の報知種類と共に前記複数のパターンの中から任意の一のパターンを設定することを特徴とする請求項２記載の携帯通信端末。
【請求項４】
前記設定手段は、前記マナーモード、前記ドライブモード及び前記着信音鳴動モードに加えて、ダイアルロック等の誤動作防止機能及びセキュリティ機能のうちのいずれか一のモードに切り替える設定と、その切り替えを実行する時間帯、曜日、祝日の有無を設定することを特徴とする請求項１記載の携帯通信端末。
【請求項５】
前記設定手段により設定された前記時間帯、曜日又は祝日になったと前記判定手段により判定された時に、その判定結果を表示部に表示させる切り替え時の確認通知手段を更に有することを特徴とする請求項１乃至４のうちいずれか一項記載の携帯通信端末。
【請求項６】
最寄りの基地局及び網を介して接続される相手端末からの着信を、着信音以外の方法で報知するマナーモードと、運転中の着信を前記相手端末に通知すると共に不在着信を自装置の画面に表示するドライブモードと、カレンダー機能とを少なくとも有する携帯通信端末のモード切り替え方法において、
前記マナーモード及びドライブモード及び着信音鳴動モードのいずれか一のモードに切り替える設定と、その切り替えを実行する時間帯、曜日、祝日の有無を設定する第１のステップと、
前記第１のステップにより設定された前記時間帯及び曜日になったか否かと、祝日を設定した時には設定した祝日になったか否かを前記カレンダー機能と連携して判定する第２のステップと、
前記第２のステップにより設定された前記時間帯、曜日又は祝日になったと判定された時には、前記第１のステップにより設定されたモードに切り替える第３のステップと
を含むことを特徴とする携帯通信端末のモード切り替え方法。
【請求項７】
前記第１のステップは、前記マナーモードの設定時は前記着信を複数の報知種類のうちの一の種類を設定し、前記第３のステップは、設定された前記時間帯、曜日又は祝日になったと判定された時には、前記第１のステップにより設定された一の種類の着信に切り替え、切り替えられた一の種類の着信方法で着信を報知する第４のステップを更に含むことを特徴とする請求項６記載の携帯通信端末のモード切り替え方法。
【請求項８】
前記第１のステップにより設定された前記時間帯、曜日又は祝日になったと前記第２のステップにより判定された時に、その判定結果を表示部に表示させる第５のステップを更に含むことを特徴とする請求項６又は７記載の携帯通信端末のモード切り替え方法。
【発明の詳細な説明】
【技術分野】
【０００１】
本発明は携帯通信端末及びそのモード切替方法に係り、特にマナーモード及びドライブモード等の機能を有する携帯通信端末及びそのモード切替方法に関する。
【背景技術】
【０００２】
一般に、携帯電話機の着信は着信音で報知するが、学校、仕事場、映画や芝居等の劇場、美術館、博物館等の周囲の人に迷惑がかかる場所では着信音を鳴動させずに、バイブレータの振動等により着信を報知するマナーモードに設定しておくことが多い。また、一般的に学生、デスクワークのサラリーマンが、マナーモードに設定しておきたい時間は、一日の中でほぼ決まっており、毎日変わるということは少ない。
【０００３】
そこで、利用者のスケジュールに対応し、自動的に携帯電話機等の着信動作を切り替えるスケジュール管理装置が従来知られている（例えば、特許文献１及び２参照）。特許文献１記載のスケジュール管理装置では、利用者の各時間帯の利用環境のスケジュールを登録すると共に、それに対応させて着信動作を登録しておき、着信時にその時間帯の登録されている利用環境を参照し、参照した利用環境に対応した着信動作で着信を報知する構成である。
【０００４】
また、特許文献２記載の携帯電話機では、現在時刻が作成されたスケジュール項目のいずれかに該当すると、その該当したスケジュール項目に指定されている動作モードへ移行する動作モード実行手段を有する構成であり、よって、所望の時間帯にマナーモードに設定しておくことが可能である。
【０００５】
また、操作部からその日のスケジュールをいちいち入力しないで、自動的にマナーモードのスケジュールを作成するようにした携帯電話端末も知られている（例えば、特許文献３参照）。この特許文献３記載の携帯電話端末では、スケジュールに基づいてマナーモードに応じた着信方法で外部に対して報知する携帯電話端末において、マナーモードに設定された時間帯の履歴を記録し、日付更新時に記録した履歴を基に今日一日のマナーモードのスケジュールとしてマナーモードにすべき時間帯を作成する構成である。
【０００６】
更に、折畳み型携帯電話機において、開状態か閉状態かにより着信時の着信報知の種類をスケジュール管理するようにした携帯電話機も従来より知られている（例えば、特許文献４参照）。この特許文献４記載の従来の携帯電話機では、時間、曜日単位で着信報知の種類をスケジュール管理することができる。
【０００７】
【特許文献１】特開２００１−１８９７７４号公報
【特許文献２】特開２００１−２５１３９５号公報
【特許文献３】特開２００４−２５３９８０号公報
【特許文献４】特開２００３−２４４２７９号公報
【発明の開示】
【発明が解決しようとする課題】
【０００８】
しかるに、特許文献１及び２記載のスケジュール管理装置では、日毎にスケジュールにて着信を着信音かバイブレータか表示かで報知する方法を管理するようにしたものであり、週単位、月単位などの設定は考慮されていない。
【０００９】
また、特許文献３記載の携帯電話端末では、予め携帯電話端末のスケジュール機能に登録されたデータを引用し、着信方法の変更を行う構成であるため、携帯電話端末上に事細かにスケジュールを予め登録する必要があり、比較的登録に手間を要する。更に、特許文献４記載の携帯電話機では、筐体が開状態か閉状態かにより着信時の着信報知の種類をスケジュール管理するようにした折畳み型携帯電話機であるため、折畳み型以外の携帯電話機には適用されず、また曜日毎のスケジュール管理である。
【００１０】
本発明は以上の点に鑑みなされたもので、マナーモード、ドライブモードなどの各種モードやカレンダー機能を有し、カレンダー機能に連携して予め登録した着信報知方法の変更を、予め登録した時間、曜日、週、月又は祝日単位で自動的に切り替え得る携帯通信端末及びそのモード切替方法を提供することを目的とする。
【００１１】
また、本発明の他の目的は、筐体の開閉に関係なく、また、細かなスケジュール登録を必要とすることなく、予め登録した着信報知方法に切り替え得る携帯通信端末及びそのモード切替方法を提供することにある。
【００１２】
更に、本発明の他の目的は、着信方法以外の機能を予め登録した時間、曜日、週、月又は祝日単位で自動的に切り替え得る携帯通信端末及びそのモード切替方法を提供することにある。
【課題を解決するための手段】
【００１３】
上記の目的を達成するため、第１の発明は、最寄りの基地局及び網を介して接続される相手端末からの着信を、着信音以外の方法で報知するマナーモードと、運転中の着信を相手端末に通知すると共に不在着信を自装置の画面に表示するドライブモードと、カレンダー機能とを少なくとも有する携帯通信端末において、マナーモード及びドライブモード及び着信音鳴動モードのいずれか一のモードに切り替える設定と、その切り替えを実行する時間帯、曜日、祝日の有無を設定する設定手段と、設定手段により設定された時間帯及び曜日になったか否かと、祝日を設定した時には設定した祝日になったか否かをカレンダー機能と連携して判定する判定手段と、判定手段により設定された時間帯、曜日又は祝日になったと判定された時には、設定手段により設定されたモードに切り替える切り替え手段とを有することを特徴とする。
【００１４】
この発明では、マナーモード及びドライブモード及び着信音鳴動モードのいずれか一のモードに切り替えると共に、その切り替えを実行する時間帯、曜日、祝日の有無を設定し、その設定時間帯、設定曜日又は祝日が設定された時はその祝日になったと判定された時には、設定されたモードに切り替えるようにしたため、事細かにスケジュールを予め登録しなくても、曜日、時間帯等の単位で鳴動方法を変更でき、変更のための操作の煩わしさを解決できる。
【００１５】
また、上記の目的を達成するため、第２の発明は、第１の発明の設定手段は、マナーモードの設定時は着信を複数の報知種類のうちの一の種類を設定し、設定された時間帯、曜日又は祝日になったと判定手段により判定された時には、切り替え手段により設定された一の種類の着信に切り替え、切り替え手段により切り替えられた一の種類の着信方法で着信を報知する着信報知手段を有することを特徴とする。この発明では、設定された一の種類の着信方法で着信を報知することができる。
【００１６】
また、上記の目的を達成するため、第３の発明は、第２の発明の複数の報知種類が、バイブレータの振動、発光部の点滅又は点灯、表示部の画面上のアイコン表示で、かつ、バイブレータの振動、発光部の点滅又は点灯、表示部の画面上のアイコン表示の各々は予め設定した複数のパターンからなり、設定手段が、任意に設定した一の報知種類と共に複数のパターンの中から任意の一のパターンを設定することを特徴とする。
【００１７】
また、上記の目的を達成するため、第４の発明は、第１の発明の設定手段を、マナーモード、ドライブモード及び着信音鳴動モードに加えて、ダイアルロック等の誤動作防止機能及びセキュリティ機能のうちのいずれか一のモードに切り替える設定と、その切り替えを実行する時間帯、曜日、祝日の有無を設定するようにしたことを特徴とする。この発明では、設定した時間帯、曜日、祝日になった時に、誤動作防止機能及びセキュリティ機能を動作させることができる。
【００１８】
また、上記の目的を達成するため、第５の発明は、設定手段により設定された時間帯、曜日又は祝日になったと判定手段により判定された時に、その判定結果を表示部に表示させる切り替え時の確認通知手段を更に有することを特徴とする。この発明では、ユーザに切り替え時の時間帯、曜日又は祝日になったことを報知することができる。
【００１９】
また、上記の目的を達成するため、第６の発明は、最寄りの基地局及び網を介して接続される相手端末からの着信を、着信音以外の方法で報知するマナーモードと、運転中の着信を相手端末に通知すると共に不在着信を自装置の画面に表示するドライブモードと、カレンダー機能とを少なくとも有する携帯通信端末のモード切り替え方法において、マナーモード及びドライブモード及び着信音鳴動モードのいずれか一のモードに切り替える設定と、その切り替えを実行する時間帯、曜日、祝日の有無を設定する第１のステップと、第１のステップにより設定された時間帯及び曜日になったか否かと、祝日を設定した時には祝日になったか否かをカレンダー機能と連携して判定する第２のステップと、第２のステップにより設定された時間帯、曜日又は祝日になったと判定された時には、第１のステップにより設定されたモードに切り替える第３のステップとを含むことを特徴とする。
【００２０】
この発明では、マナーモード及びドライブモード及び着信音鳴動モードのいずれか一のモードに切り替えると共に、その切り替えを実行する時間帯、曜日、祝日の有無を設定し、その設定時間帯、設定曜日又は祝日が設定された時はその祝日になったと判定された時には、設定されたモードに切り替えるようにしたため、事細かにスケジュールを予め登録しなくても、曜日、時間帯等の単位で鳴動方法を変更でき、変更のための操作の煩わしさを解決できる。
【００２１】
また、上記の目的を達成するため、第７の発明は、第６の発明における第１のステップは、マナーモードの設定時は着信を複数の報知種類のうちの一の種類を設定し、第３のステップは、設定された時間帯、曜日又は祝日になったと判定された時には、第１のステップにより設定された一の種類の着信に切り替え、切り替えられた一の種類の着信方法で着信を報知する第４のステップを更に含むことを特徴とする。この発明では、設定された一の種類の着信方法で着信を報知することができる。
【００２２】
更に、上記の目的を達成するため、第８の発明は、第６又は第７の発明における第１のステップにより設定された時間帯、曜日又は祝日になったと第２のステップにより判定された時に、その判定結果を表示部に表示させる第５のステップを更に含むことを特徴とする。この発明では、ユーザに切り替え時の時間帯、曜日又は祝日になったことを報知することができる。
【発明の効果】
【００２３】
本発明によれば、鳴動方法（マナーモード、ドライブモード等）の切り替えを行う時間、曜日単位、更には祝日を設定するようにしたため、鳴動方法や着信報知方法の変更忘れを防ぐことができると共に、予め登録し設定しておくことで事細かなスケジュール登録を必要としないため日々の変更の煩わしさを解消できる。
【発明を実施するための最良の形態】
【００２４】
次に、本発明の実施の形態について図面と共に説明する。図１は本発明になる携帯通信端末の一実施の形態のブロック図を示す。同図において、携帯電話機１は、各種の情報を入力するための複数のキーからなる操作部２と、動作制御プログラムや電話帳データや後述する鳴動方法の登録データなどの書き込み及び読み出しが可能な記憶部３と、最寄りの基地局との間で無線通信するための無線部４と、送話音声の入力や受話音声の発音を行うための送受話部５と、時刻を計時する時計部６と、各種の表示を行う表示部７と、着信音を鳴動するスピーカ８と、着信を振動にて報知するためのバイブレータ９と、携帯電話機１内の各部を記憶部３に記憶されているプログラムに基づいて統括的に制御する制御部１０とから構成されている。なお、送受話部５で受話音声を発音するとしたが、スピーカ８にて受話音声を発音するようにしてもよい。
【００２５】
この携帯電話機１は、時計部６の出力計時信号に基づいて、制御部１０によりカレンダー機能を有し、また、着信音以外で着信を報知するマナーモードや、所有者が運転中に着信があった場合に自動的に運転中であることを相手先に通知するドライブモードの動作が可能である。
【００２６】
次に、この携帯電話機のモード切り替えの設定方法について図２のフローチャートと共に説明する。まず、操作部２を操作して鳴動方法切り替え設定を行う（ステップＳ１）。この鳴動方法切り替え設定は、主に携帯電話の時計、カレンダー機能と連携し時間、日付を認識することにより、ユーザによって予め設定させた時間、曜日に鳴動方法（マナーモード、ドライブモード等）を切り替える設定であり、その設定情報が記憶部３に格納される。
【００２７】
続いて、制御部１０は時計の設定、すなわち時間の設定がされているかどうか判定する（ステップＳ２）。本機能は、携帯電話に設定されている時間の表示を基に現在の時刻を判定し、切り替えを実施するものであるため、時間の設定がされていない場合は切り替え設定を行うことはできないためである。
【００２８】
続いて、操作部２により切り替え開始時間（鳴動方法の変更を開始する時間）を設定した後（ステップＳ３）、切り替え終了時間（鳴動方法の変更を終了する時間）を設定し（ステップＳ４）、切り替え曜日（鳴動方法切り替えを実施する曜日）の設定を行う（ステップＳ５）。曜日の指定は「毎日」又は「曜日指定」が選択でき、携帯電話に予めセットされているカレンダー機能と連携し祝日の有無の指定も可とする。しかる後に鳴動モード（マナーモード、ドライブモード等）を設定する（ステップＳ６）。ユーザは予め鳴動モード（マナーモード、ドライブモード等）の切り替えパターンを数パターンほど携帯電話機の記憶部３に登録できる。
【００２９】
続いて、制御部１０は鳴動方法切り替え時の確認のオン（ＯＮ）又はオフ（ＯＦＦ）の設定を行う（ステップＳ７）。これは切り替え開始時間、切替終了時間になった時に、そのことを通知するかどうかの設定である。
【００３０】
続いて、制御部１０は表示部７の画面に図３に示したような、設定確認画像を表示させて、ユーザに対して設定確認の入力を促す（ステップＳ８）。上記の設定確認画像は、ステップＳ３〜Ｓ７で設定した（記憶部３に記憶した）設定事項（パラメータ）を示しており、ここでは鳴動モードの設定が「ＯＮ」、切り替え開始時間が「８時３０分」、切り替え終了時間が「２０時００分」、切り替え曜日が「月火水木金で、祝日は無効」、鳴動方法が「バイブレータ」、鳴動方法切り替え時の確認通知は「ＯＮ」に設定した場合の設定確認画像を示す。
【００３１】
設定した事項が正しく設定確認画像に表示されている場合は、処理を終了し、設定した事項を変更等する場合は、再度ステップＳ３に戻り、設定事項の入力を最初からやり直す。なお、鳴動方法切り替え時の確認通知を「ＯＮ」に設定した場合は、ユーザは切り替えの有無を瞬時に判断できる。
【００３２】
次に、鳴動モードの設定がオンとされた場合の本実施の形態の着信動作について、図４のフローチャートと共に説明する。制御部１０は最寄りの基地局を介して無線部４で相手端末からの着信信号を受信したかどうか監視しており（ステップＳ１１）、着信信号を受信したときは、記憶部３の記憶情報を参照して鳴動方法切り替え設定の登録がされているかどうか判定する（ステップＳ１２）。
【００３３】
鳴動方法切り替え設定の登録がされている場合は、登録された鳴動方法で着信を報知する（ステップＳ１３）。例えば、設定事項が図３に示すものである場合、着信が平日の８時３０分から２０時００分までの時間帯にあった場合は、制御部１０はバイブレータ９を駆動し、バイブレータ９の振動により着信を報知する。
【００３４】
また、登録された鳴動方法がマナーモードからドライブモードへの切り替え設定の場合は、設定した曜日及び時間帯で着信があったときには、制御部１０は着信動作を行わず、不在着信を表示部７の画面に表示すると共に、相手端末に着信端末が運転中である旨を自動的に通知する。また、登録された鳴動方法がマナーモードであり、かつ、上記のバイブレータ９の駆動ではなく、表示部７とは別に設けた発光部の点滅により着信報知する場合は、設定した曜日及び時間帯で着信があったときには、制御部１０は上記の発光部の点滅により着信を報知する。更に、登録された鳴動方法がマナーモードであり、かつ、着信報知方法が表示部７の画面上にアイコン表示する設定であった場合は、着信があったことを表示部７の画面上にアイコン表示する。
【００３５】
なお、ステップＳ１２で鳴動方法切り替え設定の登録がされていないと判定した場合、又は切り替え設定の登録がされているが、設定した曜日以外の曜日又は設定時間帯以外の時間帯であるときには、制御部１０は従来と同様にスピーカ８から着信音を鳴動させて、着信を報知する。
【００３６】
なお、鳴動方法切り替え設定登録は、マナーモードをバイブレータ９の振動又は発光部の点滅表示あるいは点灯表示又は画面上のアイコン表示で行うかの切り替えだけでなく、マナーモードからドライブモードへの切り替え、又はその逆のモード切り替え、あるいはマナーモードから通常の音声着信モードへの切り替え、又はその逆のモード切り替えの登録も可能である。
【００３７】
次に、鳴動方法切り替え設定日時になったときの本実施の形態の動作について、図５のフローチャートと共に説明する。制御部１０は時計部６の計時信号を用いたカレンダー機能と連携して、鳴動方法の切り替え設定日時になったかどうか監視しており（ステップＳ２１）、鳴動方法の切り替え設定日時になったことを検出すると、鳴動方法（マナーモード、ドライブモード等）の変更を行う（ステップＳ２２）。
【００３８】
このように、本実施の形態によれば、鳴動方法（マナーモード、ドライブモード等）の切り替えを時間、曜日単位で登録できることにより、鳴動方法の変更忘れを防ぐことができる。また、予め登録し設定しておくことで日々の変更の煩わしさがなくなる。また、本実施の形態では、曜日、時間単位で鳴動方法を変更でき、細かなスケジュール登録を必要としないため、その煩わしさを解決することができる。また、本実施の形態では、カレンダー機能と連携して祝日の有無の設定も可能であり、鳴動方法の切り替え設定をより自由に行うことができる。
【００３９】
なお、本発明は上記の実施の形態に限定されるものではなく、例えば、鳴動方法（マナーモード、ドライブモード等）の変更のみではなく、ダイアルロック等の誤動作防止機能、セキュリティ機能を時間、曜日、月等の単位で設定することも可能である。また、鳴動方法切り替え実施の旨を、所定の表示、所定の点滅パターン、所定パターンの鳴動音、又は所定パターンの振動等により通知するようにしてもよい。
【００４０】
また、上記の実施の形態では携帯電話機について説明したが、本発明はこれに限定されるものではなく、例えば簡易型携帯電話機（ＰＨＳ；Personal Handyphone System）や携帯型情報機器（ＰＤＡ；Personal Digital Assistants）などの他の携帯通信端末も本発明を適用することができる。
【図面の簡単な説明】
【００４１】
【図１】本発明の携帯通信端末の一実施の形態のブロック図である。
【図２】本発明方法の切り替え事項設定時の動作説明用フローチャートである。
【図３】図２の方法により設定された切り替え事項の確認画面の一例を示す図である。
【図４】本発明方法の一実施の形態の動作説明用フローチャートである。
【図５】本発明方法の切り替え設定時の動作説明用フローチャートである。
【符号の説明】
【００４２】
１  携帯電話機
２  操作部
３  記憶部
４  無線部
５  送受話部
６  時計部
７  表示部
８  スピーカ
９  バイブレータ
１０  制御部
【図１】
2006217284.tif 000003
【図２】
2006217284.tif 000004
【図３】
2006217284.tif 000005
【図４】
2006217284.tif 000006
【図５】
2006217284.tif 000007